(57)【特許請求の範囲】
【請求項１】
システムキッチンレンジにおける直方体形状に突出したグリル排気口のカバーであって、
前記グリル排気口の長手幅に対応した間隔で配置される１対の脚部と、
前記脚部の上端部の各々を掛け渡すように前記脚部の各々に取付けられ、前記グリル排気口の平面形状に対応した形状の板材とを備え、
前記脚部は、前記グリル排気口の上面に対して前記板材の下面が一定の距離を保持するような高さを有し、前記脚部の各々は棒体の折り曲げによって構成され、前記棒体の一部は前記板材の長手方向に対して摺動自在に前記板材に係合する、グリル排気口カバー。
【発明の詳細な説明】
【０００１】
【産業上の利用分野】
この発明はキッチンレンジに関し、特に複数のガスコンロが一体となって配列されるシステムキッチンレンジに関するものである。
【０００２】
【従来の技術】
図１０は一般的なシステムキッチンレンジの外観を示す平面図である。
【０００３】
図を参照して、システムキッチンレンジは、ビルトインコンロとして、レンジトッププレート５１に四角形状のガードプレート５３が埋め込まれ、その内部に複数（図では４個）の、バーナー部５５が平面的に配列されている。バーナー部５５の各々には、ポットや鍋などをその上方に載置するための五徳部５７として、複数の五徳の脚５９が配置されている。さらに、コンロ部の後方のガードプレート５３には、システムキッチンにおけるグリル、オーブンレンジ等からの熱気を排出するためのグリル排気口６１が配置されている。グリル排気口６１は直方体形状にガードプレート５３から上方に突出した外枠部６３と、外枠部６３の内部に配置されるルーバ部６５よりなっている。
【０００４】
このようにシステムキッチンレンジはガスコンロが複数あるため、各コンロで料理の煮物等を同時進行できるため、短時間で効率的な料理をすることができる。
【０００５】
【発明が解決しようとする課題】
上記で示したように、システムキッチンレンジはガスコンロが複数あるため、その周囲の汚れが従来のガスレンジに比べて目立ちやすくなる。
【０００６】
また、ガスコンロを全く使用していないときや、一部のガスコンロのみを使用している場合であっても、システムキッチンレンジの台所に占める平面スペースが広いにもかかわらず、そのスペースが有効に活用されていない。
【０００７】
一方、システムキッチンレンジのビルトインコンロの奥側には、図１０のように一般的にはオーブンレンジや魚焼きグリルからの熱気を排出するためのグリル排気口が設けられている。したがって、この排気口には、料理途中において、飛散った具や吹きこぼれた油のはね等がその内部に飛び込むおそれがある。しかし、グリル排気口を塞いでしまうと、グリル部でのガスの不完全燃焼や火災の危険があるのでその上方スペースはやはり有効活用されていないのが現状である。
【０００８】
この発明は上記のような課題を解決するためになされたもので、システムキッチンレンジのガスコンロまわりの汚れを目立たなくし、かつガスコンロの不使用時におけるガスコンロ上面やグリル排気口上方のエリアを有効活用することを目的とする。
【０００９】
【課題を解決するための手段】
【００１０】
請求項１の発明に係るグリル排気口カバーは、システムキッチンレンジにおける直方体形状に突出したグリル排気口のカバーであって、グリル排気口の長手幅に対応した間隔で配置される１対の脚部と、脚部の上端部の各々を掛け渡すように脚部の各々に取付けられ、グリル排気口の平面形状に対応した形状の板材とを備え、脚部は、グリル排気口の上面に対して板材の下面が一定の距離を保持するような高さを有し、脚部の各々は棒体の折り曲げによって構成され、棒体の一部は板材の長手方向に対して摺動自在に板材に係合するものである。
【００１１】
【作用】
【００１２】
請求項１の発明においては、グリル排気口の機能を損わずに、その上方面を覆うことができるとともに、脚部は板材に対して摺動自在となる。
【００１３】
【実施例】
図１はこの発明の一実施例によるコンロカバーおよびグリル排気口カバーを、図１０で示したシステムキッチンレンジに適用した状態を示す平面図である。
【００１４】
図を参照して、第１のコンロカバー１は、システムキッチンレンジの前列のガスコンロの五徳部上面を覆っている。
【００１５】
第２のコンロカバー３は、システムキッチンレンジの後列に配置されたガスコンロの五徳部上面を覆っている。
【００１６】
排気口カバー５は、グリル排気口６１上方に配置されている。このようにして、第１のコンロカバー１、第２のコンロカバー３および排気口カバー５によって、システムキッチンレンジの上面は全面的に覆われており、各ガスコンロの周辺に生じた煮汁等の汚れを完全に覆い隠すことができる。
【００１７】
図２は図１の第１のコンロカバー１の形状を示すための斜視図である。
図を参照して、第１のコンロカバー１は、１．５ｍｍ（０．５〜２．０ｍｍの範囲であっても良い）厚さの長方形形状のアルミニウム板を加工して形成されている。すなわち長方形形状のアルミニウム板の短辺側の両周縁部を直角方向に折り曲げることによって、平面部７と折り曲げ部９ａ，９ｂが形成されている。また、平面部７の大きさはこの実施例では２５０ｍｍ×５４５ｍｍであり、折り曲げ部９ａ，９ｂの折り曲げ深さはこの実施例では１０ｍｍとしている。また、第１のコンロカバー１の表面は、美観をより向上させるために、御影石調の塗装が全面に施されているが、塗装せずにアルミニウム板の素地そのままでもよい。
【００１８】
図３は、図１の第２のコンロカバー３の形状を示すための斜視図である。
図を参照して、第２のコンロカバー３は、１．５ｍｍの長方形形状のアルミニウム板を加工することによって形成されている。すなわち長方形形状のアルミニウム板の長辺側の周縁部の一方が直角方向に折り曲げられて、平面部１１および折り曲げ部１３が形成されている。なおこの実施例では、平面部１１の大きさは１４２ｍｍ×５４５ｍｍであり、折り曲げ部１３の折り曲げ深さは１０ｍｍとなっている。なお第２のコンロカバー３の表面仕上げも、第１のコンロカバー１の表面仕上げと同様である。
【００１９】
図４は図１の排気口カバー５の形状を示すための斜視図である。
図４の（１）を参照して、排気口カバー５は、１．５ｍｍ厚さの長方形形状のアルミニウム板を加工したものと、６ｍｍの直径を有するアルミニウムの丸棒を加工したものとを組合わせて構成されている。すなわち、アルミニウム板の長辺側の周縁部の一方を直角方向に折り曲げることと、アルミニウム板の長辺側の周縁部の他方を円筒形状に丸めることによって平面部１５、折り曲げ部１７および円筒状加工部１９が形成されている。
【００２０】
一方、アルミニウム丸棒は２本、図のように曲げ加工され、脚部２１ａ，２１ｂとして使用される。脚部２１ａの一部分２３ａと脚部２１ｂの一部分２３ｂとは、円筒状加工部１９の両外側から円筒状加工部１９に挿入自在とされている。一方、脚部２１ａの他の一部分２５ａと脚部２１ｂの他の一部分２５ｂとは、一部分２３ａ，２３ｂが円筒状加工部１９に挿入された状態で、ある一定の弾性力で折り曲げ部１７の内面に当接されている。これによって、脚部２１ａ，２１ｂは平面部１５に対して摺動自在となるが、部分２５ａ，２５ｂの弾性力によって、任意の摺動位置で固定することができる。
【００２１】
図４の（２）は、図４の（１）の状態の排気口カバー５の、脚部２１ａ，２１ｂを平面部１５に対して摺動させて脚部２１ａ，２１ｂの間隔を広げた状態を示す斜視図である。このようにして、脚部２１ａ，２１ｂの間隔を、取付けようとするグリル排気口の幅に応じて調整することが容易となる。
【００２２】
なお、この実施例においては、平面部１５の大きさは１４２ｍｍ×５７０ｍｍであり、折り曲げ部１７の折り曲げ深さは２５ｍｍとなっている。また、脚部２１ａ，２１ｂの高さは９０ｍｍであり、部分２３ａ，２３ｂおよび部分２５ａ，２５ｂの長さは９０ｍｍである。
【００２３】
また、排気口カバーの脚部を除いた部分は、上記の第１のコンロカバーおよび第２のコンロカバーと同様にその表面は御影石調の塗装が施されているがアルミニウム板の素地そのままでも良い。
【００２４】
図５は図１のＶ−Ｖラインの端面図である。
図を参照して、第１のコンロカバー１の両折り曲げ部９ａ，９ｂの各々は、第１のコンロカバー１が覆う五徳の脚５９ａ，５９ｂの各々の外側に位置するように配置されている。したがって、第１のコンロカバー１の長手方向の移動は、五徳の脚と折り曲げ部との係合によって阻止され、第１のコンロカバー１の設置安定性が向上する。
【００２５】
図６は図１のＶＩ−ＶＩラインの端面図である。
図を参照して、五徳の脚５９ｃ上に設置された第２のコンロカバー３の折り曲げ部１３は、グリル排気口６１の外枠部６３の外側面に当接している。したがって、第２のコンロカバー３のグリル排気口６１の方向への移動は阻止され、不用意に第２のコンロカバー３がグリル排気口６１を覆うおそれはなく、第２のコンロカバー３の設置信頼性が向上する。
【００２６】
図７は図１のＶＩＩ−ＶＩＩラインの断面図である。
図を参照して、排気口カバー５の脚部２１ａのレンジトッププレート５１上に位置する部分２７は、グリル排気口６１の外枠部６３が載置されるガードプレート５３の側壁に接した状態となっている。この状態の配置は、排気口カバー５のもう一方の脚部においても同様であるので、排気口カバー５のグリル排気口の長手方向に対する移動が阻止され、排気口カバー５の設置安定性が向上する。
【００２７】
図８および図９は、上記の実施例によるコンロカバーおよびグリル排気口カバーを実際にシステムキッチンレンジに使用した状態を示した斜視図である。
【００２８】
図８を参照して、ガスコンロが全く使用されていない状態では、このように、第１のコンロカバー１および第３のコンロカバー３が、ガスコンロの上面を全面に覆っている。そのため、第１のコンロカバー１および第２のコンロカバー３上に、たとえばまな板３１や果物３３を載置することができる。またグリル排気口の上方には、排気口カバー５が設置されており、その上に、たとえば鍋３５が載置されている。このようにして、ガスコンロを使用していないときには、コンロ周辺の汚れを隠すだけでなくシステムキッチンレンジの上面を有効エリアとして活用することができる。
【００２９】
図９を参照して、前列のガスコンロの左側のバーナー部５５ａ上に、たとえばポット３７が載置されている。このような状態では、第１のコンロカバー１を図８の状態から取外し、この例では、システムキッチンレンジの後方の壁面に立てかけるようにしている。後方のガスコンロは使用されていないので、第２のコンロカバー３はそのまま五徳上に載置されており、その上にたとえばカップ３９が載置されている。
【００３０】
排気口カバー５については、もともとグリル排気口との間隔が保たれているため、グリルが使用されている場合であっても、特に排気口カバー５を取外す必要はない。このようにして、ガスコンロの一部が使用された場合であっても、使用されていないガスコンロの上面を有効に利用し、またその下の汚れ等を隠すことができるため美観が向上する。
【００３１】
なお、図９では、手前のガスコンロを使用する場合を想定しているが、後方のガスコンロを使用する場合には、第１のコンロカバー１を五徳を覆った状態のままとし、第２のコンロカバー３だけを取外して、その下のガスコンロを使用することも可能である。
【００３２】
また、上記の実施例では、第１のコンロカバーおよび第２のコンロカバーともに２連のガスコンロの五徳上を覆うようにしているが、これに代えて、１つのコンロカバーを１つのガスコンロの上方に位置する五徳部分のみを覆うことができるような形状とすることも可能である。その場合、図９においては、使用していないバーナー５５ｂの上方の五徳上にコンロカバーを置くことができるので、バーナー部５５ｂの上のエリアもさらに有効活用することができる。
【００３３】
上記の実施例に基づいて、以下の項目１〜１７に示したような本願発明の保護範囲が考えられる。
１．  複数のガスコンロが並列的に配列され、前記ガスコンロの各々に対応する五徳が前記ガスコンロの上方に配置されるシステムキッチンレンジ用のコンロカバーであって、
前記五徳が配置される面の一部を覆う形状の第１のカバーと、
前記五徳が配置される面の他の一部を覆う形状の第２のカバーと、
を備えた、システムキッチンレンジ用のコンロカバー。
２．  前記第１のカバーおよび前記第２のカバーの各々が覆うエリアの合計は、前記五徳が配置される面全面のエリアに一致する、項目１記載のシステムキッチンレンジ用のコンロカバー。
【００３４】
（目的または効果）
システムキッチンレンジを全面に覆えるので美観が向上し、ガスコンロが使用されていないときのエリアの有効活用が最大限になる。
３．  前記第１のカバーは長方形形状の板材よりなり、前記板材の短辺側の両側面が直角方向に折り曲げられる、項目２記載のシステムキッチンレンジ用のコンロカバー。
【００３５】
（目的または効果）
第１のカバーを使用する際のその上の載置物の安定化および第１のカバー自体の安定化が図られる。
４．  前記第２のカバーは長方形形状の板材よりなり、前記板材の長辺側の周縁部の一方が直角方向に折り曲げられる、項目３記載のシステムキッチンレンジ用のコンロカバー。
【００３６】
（目的または効果）
第２のカバーの使用する際のその上の載置物の安定化および第２のカバー自体の安定化が図られる。
５．  前記第１のカバーおよび前記第２のカバーの各々はシステムキッチンレンジの幅方向に配置される、項目２から４のいずれかに記載のシステムキッチンレンジ用のコンロカバー。
【００３７】
（目的または効果）
前列または後列のみにおいてガスコンロが使用された際の使い勝手が向上する。
６．  前記第１のカバーおよび前記第２のカバーの各々はアルミニウムよりなる、項目１から５のいずれかに記載のシステムキッチンレンジ用のコンロカバー。
【００３８】
（目的または効果）
第１のコンロカバーおよび第２のコンロカバーが軽量化されるので、その取扱いが容易となる。
７．  前記アルミニウムは０．５〜２．０ｍｍの板厚を有する、項目６記載のシステムキッチンレンジ用のコンロカバー。
【００３９】
（目的または効果）
第１のコンロカバーおよび第２のコンロカバーが、軽量でありながら、かつある程度の堅固な構造となる。
８．  前記アルミニウムの表面は、御影石調の塗装が施される、項目６または７記載のシステムキッチンレンジ用のコンロカバー。
【００４０】
（目的または効果）
第１のコンロカバーおよび第２のコンロカバーを使用した際の美観がより向上する。
９．  前記第１のカバーの折り曲げられた部分の各々は、前記五徳の幅方向の外縁部より下方に立下がり、前記第１のカバーのシステムキッチンレンジの幅方向の移動が阻止される、項目５記載のシステムキッチンレンジ用のコンロカバー。
【００４１】
（目的または効果）
第１のコンロカバーの設置が安定する。
１０．  前記システムキッチンレンジは直方体形状に突出したグリル排気口を含み、前記第２のカバーを奥行方向に移動させた際に前記第２のカバーの折曲げられた部分が前記グリル排気口の側壁に当接して、前記第２のカバーの移動が阻止される、項目５記載のシステムキッチンレンジ用コンロカバー。
【００４２】
（目的または効果）
第２のコンロカバーが移動して、グリル排気口を不用意に塞ぐおそれがない。
１１．  システムキッチンレンジにおける直方体形状に突出したグリル排気口のカバーであって、
前記グリル排気口の長手幅に対応した間隔で配置される１対の脚部と、
前記脚部の上端部の各々を掛け渡すように前記脚部の各々に取付けられ、前記グリル排気口の平面形状に対応した形状の板材とを備え、
前記脚部は、前記グリル排気口の上面に対して前記板材の下面が一定の距離を保持するような高さを有する、グリル排気口カバー。
１２．  前記脚部の各々は棒体の折り曲げによって構成され、前記棒体の一部は前記板材の長手方向に対して摺動自在に前記板材に係合する、項目１１記載のグリル排気口カバー。
【００４３】
（目的または効果）
グリル排気口の幅方向の長さに応じての排気口カバーの設置が容易となる。
１３．  前記板材の長辺側の周縁部の一方は、その内部に前記棒体の一部が挿入自在となるように丸められ、前記周縁部の他方が直角方向に折り曲げられる、項目１２記載のグリル排気口カバー。
【００４４】
（目的または効果）
板材と脚部との連結が安定して行なわれる。
１４．  前記棒体の一部が前記丸められた周縁部に挿入された際、前記棒体の他の一部が前記折り曲げられた周縁部の内側に所定の弾性力をもって当接される、項目１３記載のグリル排気口カバー。
【００４５】
（目的または効果）
棒体の板材に対する任意の摺動位置で脚部が安定して保持される。
１５．  前記板材および前記棒体はアルミニウムよりなる、項目１１から１４のいずれかに記載のグリル排気口カバー。
【００４６】
（目的または効果）
カバーの軽量化によって取扱いが容易になる。
１６．  前記第１の板材は１．５ｍｍの板厚を有する、項目１５記載のグリル排気口カバー。
【００４７】
（目的または効果）
全体が軽量でありながら、ある程度堅固な構造となる。
１７．  前記棒体は、６ｍｍ直径の丸棒よりなり、項目１５または１６記載のグリル排気口カバー。
【００４８】
（目的または効果）
強度を保持しつつ、曲げ加工が容易となる。
【００４９】
【発明の効果】
【００５０】
請求項１の発明は以上説明したとおり、グリル排気口の機能を損わずにその上方部分を覆うことができるので、常にグリル排気口の上方エリアを有効に活用できるとともに、料理中による不用意な具や吹きこぼれのはね等がグリル排気口に飛び込むおそれがなくなる。又、脚部の間隔を調整できるので、長手幅の異なったグリル排気口に対しても容易に設置することができる。
【図面の簡単な説明】
【図１】この発明の一実施例によるシステムキッチンレンジ用のコンロカバーおよびグリル排気口カバーをシステムキッチンレンジに取付けた状態を示す平面図である。
【図２】図１の第１のコンロカバー１の外観形状を示す斜視図である。
【図３】図１の第２のコンロカバー３の外観形状を示す斜視図である。
【図４】図１のグリル排気口カバー５の外観形状を示す斜視図である。
【図５】図１のＶ−Ｖラインの端面図である。
【図６】図１のＶＩ−ＶＩラインの端面図である。
【図７】図１のＶＩＩ−ＶＩＩラインの断面図である。
【図８】この発明の一実施例によるコンロカバーおよびグリル排気口カバーを使用した状態の一例を示す斜視図である。
【図９】この発明の一実施例によるコンロカバーおよびグリル排気口カバーを使用した他の一例を示す斜視図である。
【図１０】一般のシステムキッチンレンジの上面を示す平面図である。
【符号の説明】
１  第１のコンロカバー
３  第２のコンロカバー
５  排気口カバー
１５  平面部
２１ａ，２１ｂ  脚部
なお、図において同一符号は同一または相当部分を示す。
【図１】
0003559302.tif 000002
【図２】
0003559302.tif 000003
【図３】
0003559302.tif 000004
【図４】
0003559302.tif 000005
【図５】
0003559302.tif 000006
【図６】
0003559302.tif 000007
【図７】
0003559302.tif 000008
【図８】
0003559302.tif 000009
【図９】
0003559302.tif 000010
【図１０】
0003559302.tif 000011